(57)【要約】      （修正有）【課題】屋根に容易に固定することができ、作業員の安全性を確保することができる安全帯支持具を提供する。【解決手段】安全用具支持具１は、波形状に形成された波形屋根９に取り付けられるものであって、波形屋根９の上面側から固定するための固定部材２と、固定部材２に接続される係止部材とを備え、固定部材２は、波形屋根９の頂部９１を挟んで両側に配置される一対の脚部２１、２１と、一対の脚部２１、２１を繋ぐ繋ぎ部２２と、繋ぎ部２２を挟んで波形屋根９の反対側に向けて突出されるネジ部２３とを有し、係止部材は、安全用具７を係止するための係止部３１と、ネジ部２３に螺合される螺合部３２を有することを特徴とする。【選択図】図２
0003224337.tif 000002
【実用新案登録請求の範囲】
【請求項１】
波形状に形成された波形屋根に取り付けられる安全用具支持具であって、
波形屋根の上面側から固定するための固定部材と、
前記固定部材に接続される係止部材とを備え、
前記固定部材は、
波形屋根の頂部を挟んで両側に配置される一対の脚部と、
一対の前記脚部を繋ぐ繋ぎ部と、
前記繋ぎ部を挟んで波形屋根の反対側に向けて突出されるネジ部とを有し、
前記係止部材は、安全用具を係止するための係止部と、前記ネジ部に螺合される螺合部を有すること
を特徴とする安全用具支持具。
【請求項２】
離間して配置される複数の前記固定部材を備え、
前記係止部材は、複数の貫通孔が形成される連結板部を有し、前記貫通孔に前記固定部材の前記ネジ部が貫通されること
を特徴とする請求項１記載の安全用具支持具。
【請求項３】
前記固定部材は、前記脚部が波形屋根の傾斜面に当接され、波形屋根の傾斜面と前記脚部とを貫通して固定する固定手段を有すること
を特徴とする請求項１又は２記載の安全用具支持具。
【請求項４】
前記固定部材は、波形屋根の頂部に形成されたハゼ部を一対の前記脚部が挟んで、波形屋根に固定するものであること
を特徴とする請求項１又は２記載の安全用具支持具。
【請求項５】
前記固定部材は、前記ハゼ部と前記脚部との間に摩擦抵抗部を有すること
を特徴とする請求項４記載の安全用具支持具。
【考案の詳細な説明】
【技術分野】
【０００１】
本考案は、安全用具支持具に関する。
【背景技術】
【０００２】
工場や倉庫等の屋根には、スレート屋根、折板等の波形の屋根材が用いられ、老朽化した屋根材の塗装や補修等が行われる。屋根材の塗装や補修等を行う場合、高所での作業となるため、作業者は安全帯や親綱等を必ず使用する必要があるが、屋根上には安全帯や親綱等の安全用具を固定するための既設構造物等が無いことが多いというのが現状である。このため、屋根材に安全帯等を設けることが困難となり、作業者が脆くなった屋根上を踏み抜いて落下事故が起きる恐れがある。
【０００３】
従来、波形の屋根材に安全帯等を装着するための既設構造物が存在しないような現場で用いられる技術として、例えば、特許文献１、２が開示されている。
【０００４】
特許文献１に開示された波形屋根に設けるロープ止金具は、平板の下面中央に波形屋根材の谷に当接するスペーサーを設け、該スペーサー上面の平板上にロープ係止杆を突設し、該係止杆の左右に二箇のＵボルトの取付用の溝を設け、該溝に平板の下面よりＵボルトの螺子部を挿通し、該螺子部にナットを螺着してなることを特徴とする。
【０００５】
特許文献２に開示された安全帯等の支持具は、長手方向に沿って複数の底側貫通孔が形成された底側連結板部と、長手方向に沿って複数の立上り貫通孔が形成された立上り側連結板部とによって断面略Ｌ字形状とした主部材と、副部材とからなり、略平行配置された２本の前記主部材及び２本の前記副部材によって略方形状の枠体が形成されてなることを特徴とする。
【先行技術文献】
【特許文献】
【０００６】
【特許文献１】実全昭５２−１１８２３号公報
【特許文献２】特開２００８−３０８８９７号公報
【考案の概要】
【考案が解決しようとする課題】
【０００７】
しかしながら、特許文献１に開示されたロープ止金具は、溝に平板の下面よりＵボルトの螺子部を挿通させるものである。このため、屋根の上面側から作業を行うことができず、屋根材への固定を容易に行うことができない、という問題点があった。
【０００８】
特許文献２に開示された支持具は、屋根板材と母屋とを固定するための固定ボルトを底側貫通孔に挿通して、固定用ナットが螺合される。すなわち、この支持具を屋根に固定する際、既設の固定ボルトを用いることとなる。このため、既設の固定ボルトが腐食等していた場合には、支持具の固定が不十分となり、安全性を確保するのが難しい、という問題点があった。
【０００９】
そこで、本考案は、上述した問題点に鑑みて案出されたものであり、その目的とするところは、屋根に容易に固定することができ、作業員の安全性を確保することができる安全帯支持具を提供することにある。
【課題を解決するための手段】
【００１０】
第１考案に係る安全用具支持具は、波形状に形成された波形屋根に取り付けられる安全用具支持具であって、波形屋根の上面側から固定するための固定部材と、前記固定部材に接続される係止部材とを備え、前記固定部材は、波形屋根の頂部を挟んで両側に配置される一対の脚部と、一対の前記脚部を繋ぐ繋ぎ部と、前記繋ぎ部を挟んで波形屋根の反対側に向けて突出されるネジ部とを有し、前記係止部材は、安全用具を係止するための係止部と、前記ネジ部に螺合される螺合部を有することを特徴とする。
【００１１】
第２考案に係る安全用具支持具は、第１考案において、離間して配置される複数の前記固定部材を備え、前記係止部材は、複数の貫通孔が形成される連結板部を有し、前記貫通孔に前記固定部材の前記ネジ部が貫通されることを特徴とする。
【００１２】
第３考案に係る安全用具支持具は、第１考案又は第２考案において、前記固定部材は、前記脚部が波形屋根の傾斜面に当接され、波形屋根の傾斜面と前記脚部とを貫通して固定する固定手段を有することを特徴とする。
【００１３】
第４考案に係る安全用具支持具は、第１考案又は第２考案において、前記固定部材は、波形屋根の頂部に形成されたハゼ部を一対の前記脚部が挟んで、波形屋根に固定するものであることを特徴とする。
【００１４】
第５考案に係る安全用具支持具は、第４考案において、前記固定部材は、前記ハゼ部と前記脚部との間に摩擦抵抗部を有することを特徴とする。
【考案の効果】
【００１５】
本考案によれば、屋根に容易に固定することができ、作業員の安全性を確保することができる安全用具支持具を提供できる。
【図面の簡単な説明】
【００１６】
【図１】図１は、波形屋根に取り付けられた第１実施形態における安全用具支持具を示す斜視図である。
【図２】図２は、波形屋根に取り付けられた第１実施形態における安全用具支持具を示す断面図である。
【図３】図３は、第１実施形態における安全用具支持具の第１使用例を説明するための図である。
【図４】図４は、第１実施形態における安全用具支持具の第２使用例を説明するための図である。
【図５】図５は、波形屋根に取り付けられた第２実施形態における安全用具支持具を示す断面図である。
【図６】図６は、波形屋根に取り付けられた第３実施形態における安全用具支持具を示す断面図である。
【図７】図７は、波形屋根に取り付けられた第３実施形態における安全用具支持具を示す側面図である。
【考案を実施するための形態】
【００１７】
以下、本考案を適用した安全用具支持具を実施するための形態について、図面を参照しながら詳細に説明する。
【００１８】
（第１実施形態）
図１は、波形屋根９に取り付けられた第１実施形態における安全用具支持具１を示す斜視図である。図２は、波形屋根９に取り付けられた第１実施形態における安全用具支持具１を示す断面図である。以下、上下方向Ｚとし、上下方向Ｚに交わり波形屋根９の波形の方向を波形方向Ｘとし、上下方向Ｚと波形方向Ｘとに交わる方向を波形直交方向Ｙとする。
【００１９】
本発明に係る安全用具支持具１は、例えば、工場や倉庫等の波形屋根９を塗装や補修等の改修工事をする際に用いられるものである。安全用具支持具１は、波形状に形成された波形屋根９に取り付けられる。
【００２０】
波形屋根９は、例えば、大波、中波、小波等の波板葺、重ね葺き折板やハゼ締め折板等の折板が用いられる。波形屋根９は、頂部９１と底部９２との間に傾斜面９３が形成される。図１及び図２の例では、波形屋根９は、波板葺が用いられ、既設ボルト８１により、Ｃ形鋼等からなる下地材８にボルト接合される。
【００２１】
第１実施形態に係る安全用具支持具１は、複数の固定部材２と、係止部材３とを備える。
【００２２】
固定部材２は、波形方向Ｘに離間して複数配置され、波形屋根９の上面側に固定するためのものである。固定部材２は、一対の脚部２１、２１と、繋ぎ部２２と、ネジ部２３と、固定部２４と、を有する。
【００２３】
脚部２１は、板状に形成され、波形屋根９の頂部９１を挟んで両側の傾斜面９３に一対となって配置される。脚部２１は、基端部２１ａに繋ぎ部２２が設けられ、先端部２１ｂ側が屈曲されて傾斜面９３に当接される。
【００２４】
繋ぎ部２２は、板状に形成され、一対の脚部２１、２１を繋ぐ。繋ぎ部２２は、既設ボルト８１よりも上方に、板状の繋ぎ部２２の主面が水平となるように配置される。
【００２５】
ネジ部２３は、繋ぎ部２２を挟んで波形屋根９の反対側に向けて上方に突出される。ネジ部２３は、外面にネジ山又はネジ溝が形成されるものである。
【００２６】
固定部２４は、例えば、ビス等の所定の固定手段が用いられる。固定部２４は、波形屋根９の傾斜面９３と脚部２１とを貫通して固定する。固定部２４は、更に下地材８に貫通されて固定される。
【００２７】
係止部材３は、固定部材２に接続される。係止部材３は、係止部３１と、螺合部３２と、連結板部３３とを有する。
【００２８】
係止部３１は、安全用具７を係止するためのものである。係止部３１は、例えば、Ｕ字状に形成され、両端が連結板部３３に溶接等により接合される。
【００２９】
螺合部３２は、ネジ部２３に螺合され、例えば、ナットが用いられる。
【００３０】
連結板部３３は、長手方向が波形方向Ｘに延びて形成され、波形屋根９の複数の頂部９１の上方に配置される。連結板部３３は、複数の貫通孔３４が形成される。連結板部３３は、各々の貫通孔３４に、固定部材２のネジ部２３が貫通される。
【００３１】
安全用具７は、波形屋根９の上で作業する作業者の転落を防止するためのものである。安全用具７は、例えば、安全帯であってもよいし、親綱であってもよい。
【００３２】
図３は、第１実施形態における安全用具支持具１の第１使用例を説明するための図である。図３に示すように、安全用具支持具１は、係止部３１に安全帯７１のフック７２が係止される。
【００３３】
図４は、第１実施形態における安全用具支持具１の第２使用例を説明するための図である。図４に示すように、安全用具支持具１は、係止部３１に親綱７３が係止され、親綱７３に安全帯７１のフック７２が取り付けられる。
【００３４】
次に、安全用具支持具１を波形屋根９に取り付ける方法の一例について説明する。先ず複数の固定部材２を波形屋根９に固定する。固定部材２を波形屋根９に固定する際には、波形屋根９の頂部９１を挟んで両側の傾斜面９３、９３に、一対の脚部２１、２１を載置して当接する。そして、ビス等の固定部２４を、傾斜面９３、脚部２１の先端部２１ｂ側、及び、下地材８に貫通させ、波形屋根９に固定する。
【００３５】
次に、固定部材２と係止部材３とを接続する。波形屋根９に固定した複数の固定部材２のそれぞれのネジ部２３を、係止部３１が予め溶接等により接合された連結板部３３の貫通孔３４に貫通させる。そして、ネジ部２３にナット等の螺合部３２を螺合して、固定部材２と係止部材３とを接続する。このようにして、安全用具支持具１を波形屋根９に固定する作業が完了する。
【００３６】
安全用具支持具１に安全帯７１を取り付ける場合には、図３に示すように、安全帯７１のフック７２を係止部３１に係止して完了する。
【００３７】
また、安全用具支持具１に親綱７３を取り付ける場合には、図４に示すように、複数の安全用具支持具１を波形屋根９に固定する。その後、一方の安全用具支持具１の係止部３１と他方の安全用具支持具１の係止部３１とにそれぞれ親綱７３を係止する。そして、親綱７３を係止部３１に係止した後、親綱７３に安全帯７１のフック７２を係止して完了する。
【００３８】
本実施形態によれば、固定部材２は、波形屋根９の上面側から固定される。これにより、従来のような屋根の下面側からの作業を省略することができる。このため、波形屋根９の上面側から容易に固定することができる。
【００３９】
本実施形態によれば、固定部材２は、繋ぎ部２２を挟んで波形屋根９の反対側に向けて突出されるネジ部２３を有し、係止部材３は、ネジ部に螺合される螺合部３２を有する。これにより、固定部材２を波形屋根９に取り付ける際に、波形屋根９と下地材８とを接合する既設ボルト８１を必要としない。このため、既設ボルト８１が腐食等していた場合であっても、波形屋根９に安全用具支持具１を取り付けることができる。よって、安全用具７を係止部３１に係止することができ、作業員の安全性を確保することができる。
【００４０】
本実施形態によれば、離間して配置される複数の固定部材２を備え、係止部材３は、複数の貫通孔３４が形成される連結板部３３を有し、貫通孔３４に固定部材２のネジ部２３が貫通される。これにより、安全用具７に荷重が作用した場合であっても、複数の固定部材２によりこの荷重に抵抗することができ、複数の固定部材２が波形屋根９に固定された状態を維持することができる。このため、作業員の安全性をより向上させることができる。
【００４１】
本実施形態によれば、固定部材２は、脚部２１が波形屋根９の傾斜面９３に当接され、波形屋根９の傾斜面９３と脚部２１とを貫通して固定する固定部２４を有する。これにより、雨水等が波形屋根９の底部９２に溜まった場合であっても、固定部２４から雨水等が伝って、波形屋根９の下方に漏水するのを抑制することができる。
【００４２】
（第２実施形態）
図５は、波形屋根９に取り付けられた第２実施形態における安全用具支持具１を示す断面図である。図５の例では、波形屋根９は、重ね葺き折板が用いられ、既設ボルト８１により、タイトフレーム等からなる下地材８にボルト接合される。第２実施形態では、連結板部３３が省略される点で、主に第１実施形態と相違する。
【００４３】
第２実施形態に係る安全用具支持具１は、固定部材２と、係止部材３とを備える。
【００４４】
係止部材３は、固定部材２に接続され、安全用具７を係止するためのものである。係止部３１と、螺合部３２と、を有する。係止部３１は、例えば、環状に形成される。螺合部３２は、ネジ部２３に螺合される。
【００４５】
係止部材３は、例えば、アイナットが用いられ、係止部３１と螺合部３２とが一体化されて形成される。
【００４６】
本実施形態によれば、固定部材２は、波形屋根９の上面側から固定される。これにより、従来のような屋根の下面側からの作業を省略することができる。このため、波形屋根９の上面側から容易に固定することができる。
【００４７】
本実施形態によれば、固定部材２は、繋ぎ部２２を挟んで波形屋根９の反対側に向けて突出されるネジ部２３を有し、係止部材３は、ネジ部２３に螺合される螺合部３２を有する。これにより、固定部材２を波形屋根９に取り付ける際に、波形屋根９と下地材８とを接合する既設ボルト８１を必要としない。このため、既設ボルト８１が腐食等していた場合であっても、波形屋根９に安全用具支持具１を取り付けることができる。よって、安全用具７を係止部３１に係止することができ、作業員の安全性を確保することができる。
【００４８】
本実施形態によれば、固定部材２は、脚部２１が波形屋根９の傾斜面９３に当接され、波形屋根９の傾斜面９３と脚部２１とを貫通して固定する固定部２４を有する。これにより、雨水等が波形屋根９の底部９２に溜まった場合であっても、固定部２４から雨水等が伝って、波形屋根９の下方に漏水するのを抑制することができる。
【００４９】
（第３実施形態）
図６は、波形屋根９に取り付けられた第３実施形態における安全用具支持具１を示す断面図である。図７は、波形屋根９に取り付けられた第３実施形態における安全用具支持具１を示す側面図である。図６及び図７の例では、波形屋根９は、ハゼ締め折板が用いられる。波形屋根９は、波形屋根９の頂部９１にハゼ部９８が形成される。ハゼ部９８は、波形方向Ｘに隣接する２枚のハゼ締め折板同士を、接合するものである。波形屋根９は、波形方向Ｘに隣接する２枚のハゼ締め折板の間に設けられる吊子８２に既設ボルト８３が接合されることより、タイトフレーム等からなる下地材８に接合される。
【００５０】
第３実施形態における安全用具支持具１は、複数の固定部材２と、係止部材３とを備える。
【００５１】
固定部材２は、波形直交方向Ｙに離間して複数配置される。固定部材２は、一対の脚部２１、２１と、繋ぎ部２２と、ネジ部２３と、固定部２４と、を有する。なお、固定部材２は、波形方向Ｘに離間して複数配置されてもよい。
【００５２】
脚部２１は、板状に形成され、波形屋根９の頂部９１に波形直交方向Ｙに延びて形成されたハゼ部９８を挟んで両側に一対となって配置される。一対の脚部２１は、ハゼ部９８を挟んで固定するものである。脚部２１とハゼ部９８との間には、摩擦抵抗部２５が設けられる。摩擦抵抗部２５は、例えばブチルテープ等が用いられる。摩擦抵抗部２５は、ゴム等の弾性体が用いられてもよいし、両面接着テープ等の接着性を有する弾性体であってもよい。
【００５３】
係止部材３は、固定部材２に接続される。係止部材３は、係止部３１と、螺合部３２と、連結板部３３とを有する。
【００５４】
係止部３１は、安全用具７を係止するためのものである。係止部３１は、例えば、Ｕ字状に形成され、両端が連結板部３３に溶接等により接合される。
【００５５】
螺合部３２は、ネジ部２３に螺合され、例えば、ナットが用いられる。
【００５６】
連結板部３３は、長手方向が波形直交方向Ｙに延びて形成され、波形屋根９の複数の頂部９１の上方に配置される。連結板部３３は、複数の貫通孔３４が形成される。連結板部３３は、各々の貫通孔３４に、固定部材２のネジ部２３が貫通される。
【００５７】
本実施形態によれば、固定部材２は、波形屋根９の上面側から固定される。これにより、従来のような屋根の下面側からの作業を省略することができる。このため、波形屋根９の上面側から容易に固定することができる。
【００５８】
本実施形態によれば、固定部材２は、繋ぎ部２２を挟んで波形屋根９の反対側に向けて突出されるネジ部２３を有し、係止部材３は、ネジ部２３に螺合される螺合部３２を有する。これにより、固定部材２を波形屋根９に取り付ける際に、波形屋根９と下地材８とを接合する既設ボルト８３を必要としない。このため、既設ボルト８３が腐食等していた場合であっても、波形屋根９に安全用具支持具１を取り付けることができる。よって、安全用具７を係止部３１に係止することができ、作業員の安全性を確保することができる。
【００５９】
特に、本実施形態によれば、固定部材２は、波形屋根９の頂部９１に形成されたハゼ部９８を一対の脚部２１、２１が挟んで、波形屋根９に固定するものである。これにより、ビス等を用いる必要がなく固定することができるため、ビス等により波形屋根９が損傷するのを防止することができる。このため、雨水等が波形屋根９の底部９２に溜まった場合であっても、波形屋根９の下方に漏水するのを抑制することができる。
【００６０】
特に、本実施形態によれば、固定部材２は、ハゼ部９８と脚部２１との間に摩擦抵抗部２５を有する。これにより、安全用具７に荷重が作用した場合であっても、安全用具支持具１が波形屋根９に対してずれるの防止することができる。このため、作業員の安全性をより向上させることができる。
【００６１】
以上、本考案の実施形態の例について詳細に説明したが、上述した実施形態は、何れも本考案を実施するにあたっての具体化の例を示したものに過ぎず、これらによって本考案の技術的範囲が限定的に解釈されてはならないものである。
【符号の説明】
【００６２】
１      ：安全用具支持具
２      ：固定部材
２１    ：脚部
２１ａ  ：基端部
２１ｂ  ：先端部
２２    ：繋ぎ部
２３    ：ネジ部
２４    ：固定部
２５    ：摩擦抵抗部
３      ：係止部材
３１    ：係止部
３２    ：螺合部
３３    ：連結板部
３４    ：貫通孔
７      ：安全用具
７１    ：安全帯
７２    ：フック
７３    ：親綱
８      ：下地材
８１    ：既設ボルト
８２    ：吊子
８３    ：既設ボルト
９      ：波形屋根
９１    ：頂部
９２    ：底部
９３    ：傾斜面
９８    ：ハゼ部
Ｘ      ：波形方向
Ｙ      ：波形直交方向
Ｚ      ：上下方向
【図１】
0003224337.tif 000003
【図２】
0003224337.tif 000004
【図３】
0003224337.tif 000005
【図４】
0003224337.tif 000006
【図５】
0003224337.tif 000007
【図６】
0003224337.tif 000008
【図７】
0003224337.tif 000009